(57)【要約】【課題】Ｓｄｄ２１における反共振による信号減衰量を低減することができ、差動信号の透過性に与える影響を低減できるコモンモードチョークコイルを提供する。【解決手段】コモンモードチョークコイルは、１次コイルと２次コイルとが積層方向に配列されることで構成されたコモンモードフィルタ部としての第１及び第２フィルタ部２０，３０を有する。複数の第１及び第２フィルタ部２０，３０の内の第１フィルタ部２０は、第２フィルタ部３０とは異なる共振周波数を有し、前記１次コイルと前記２次コイルとの線路長が異なっている。【選択図】図４
2020025046.tif 000002
【特許請求の範囲】
【請求項１】
１次コイルと２次コイルとが積層方向に配列されることで構成されたコモンモードフィルタ部を複数有し、
前記複数のコモンモードフィルタ部には、他のコモンモードフィルタ部とは異なる共振周波数を有するもの、及び、前記１次コイルと前記２次コイルとの線路長が異なるものが存在するコモンモードチョークコイル。
【請求項２】
前記複数のコモンモードフィルタ部には、互いに共振周波数が異なる第１フィルタ部と第２フィルタ部とが存在し、前記第１フィルタ部と前記第２フィルタ部との間では、前記１次コイル同士、前記２次コイル同士が直列に接続され、
前記第２フィルタ部では、それぞれスパイラル状に巻回された複数のコイル導体が前記積層方向に沿って配列され、前記１次コイルを構成する前記複数のコイル導体の内の１つである基準１次コイル導体と、前記２次コイルを構成する前記複数のコイル導体の内の１つである基準２次コイル導体とが前記積層方向に隣接するとともに巻回方向が互いに逆となっており、
前記第１フィルタ部の前記１次コイルと前記２次コイルとの内、前記基準１次コイル導体、前記基準２次コイル導体からの線路長をそれぞれ基準として、より遠い位置にある方を遠方側コイル、より近い位置にある方を近方側コイルとした場合に、前記遠方側コイルの線路長が、前記近方側コイルの線路長よりも長い請求項１に記載のコモンモードチョークコイル。
【請求項３】
前記複数のコモンモードフィルタ部には、互いに共振周波数が異なる第１フィルタ部と第２フィルタ部とが存在し、前記第１フィルタ部と前記第２フィルタ部との間では、前記１次コイル同士、前記２次コイル同士が直列に接続され、
前記第２フィルタ部では、それぞれスパイラル状に巻回された第１層コイル導体、第２層コイル導体、第３層コイル導体、第４層コイル導体がこの順に前記積層方向に沿って配列され、前記第１フィルタ部の前記１次コイル又は前記２次コイルの一方から続いて前記第４層コイル導体、前記第２層コイル導体の順に直列に接続されるとともに、前記第１フィルタ部の前記１次コイル又は前記２次コイルの他方から続いて前記第３層コイル導体、前記第１層コイル導体の順に直列に接続されており、
前記第１フィルタ部の前記１次コイルと前記２次コイルとの内、前記第４層コイル導体に続いて接続される方を遠方側コイル、前記第３層コイル導体に続いて接続される方を近方側コイルとした場合に、前記遠方側コイルの線路長が、前記近方側コイルの線路長よりも長い請求項１又は２に記載のコモンモードチョークコイル。
【請求項４】
前記遠方側コイルの線路長をＬ１とし、前記近方側コイルの線路長をＬ２とした場合に、Ｌ２＜Ｌ１≦１．５×Ｌ２の範囲である請求項２又は３に記載のコモンモードチョークコイル。
【請求項５】
前記遠方側コイルでは、巻回中心側で線路長の長さが調整される請求項２〜４のいずれか１項に記載のコモンモードチョークコイル。
【請求項６】
前記遠方側コイルの内径が、前記近方側コイルの内径よりも小さい請求項２〜５のいずれか１項に記載のコモンモードチョークコイル。
【請求項７】
前記第１フィルタ部の前記１次コイル、前記２次コイルの線路長は、それぞれ前記第２フィルタ部の前記１次コイル、前記２次コイルの線路長より短い請求項２〜６のいずれか１項に記載のコモンモードチョークコイル。
【請求項８】
前記第１フィルタ部の共振周波数は、前記第２フィルタ部の共振周波数よりも高い請求項２〜７のいずれか１項に記載のコモンモードチョークコイル。
【請求項９】
前記第２フィルタ部では、前記１次コイルと前記２次コイルとの内、前記近方側コイルと直列に接続される方の線路長が、前記遠方側コイルと直列に接続される方の線路長よりも長い請求項２〜８のいずれか１項に記載のコモンモードチョークコイル。
【請求項１０】
前記第１フィルタ部及び前記第２フィルタ部の前記１次コイルの合計線路長は、前記第１フィルタ部及び前記第２フィルタ部の前記２次コイルの合計線路長と実質的に等しい請求項２〜９のいずれか１項に記載のコモンモードチョークコイル。
【請求項１１】
前記複数のコモンモードフィルタ部では、前記１次コイル同士が直列に接続され、前記２次コイル同士が直列に接続されている請求項１〜１０のいずれか１項に記載のコモンモードチョークコイル。
【請求項１２】
前記複数のコモンモードフィルタ部は、前記積層方向に直交する方向に配列されている請求項１〜１１のいずれか１項に記載のコモンモードチョークコイル。
【請求項１３】
複数の絶縁層が積層された素体をさらに備え、
前記複数のコモンモードフィルタ部の前記１次コイル及び前記２次コイルのそれぞれは、前記絶縁層上において巻回されたコイル導体を含む請求項１〜１２のいずれか１項に記載のコモンモードチョークコイル。
【請求項１４】
前記素体に形成された第１外部電極、第２外部電極、第３外部電極及び第４外部電極をさらに備え、
前記第１外部電極と前記第２外部電極とは、前記複数のコモンモードフィルタ部の前記１次コイルを直列に介して電気的に接続され、前記第３外部電極と前記第４外部電極とは、前記複数のコモンモードフィルタ部の前記２次コイルを直列に介して電気的に接続されている請求項１３に記載のコモンモードチョークコイル。
【発明の詳細な説明】
【技術分野】
【０００１】
本発明は、コモンモードチョークコイルに関するものである。
【背景技術】
【０００２】
近年、信号伝送インターフェースとして、ＵＳＢ（Universal Serial Bus）等の規格が普及し、多種多様な電子機器に用いられている。このような差動信号による信号伝送インターフェースにおいては、ノイズ対策としてコモンモードチョークコイルが用いられることがある。
【０００３】
コモンモードチョークコイルは、磁気結合する１次コイルと２次コイルとによってコモンモードフィルタ部が構成されている。さらに、特許文献１では、互いに共振周波数が異なる２つのコモンモードフィルタ部を直列に連結することにより、広帯域にわたってノイズを除去するコモンモードチョークコイルが提案されている。
【先行技術文献】
【特許文献】
【０００４】
【特許文献１】特開２０１６−１７８２７８号公報
【発明の概要】
【発明が解決しようとする課題】
【０００５】
本願発明者は、特許文献１のように、互いに共振周波数の異なる２つのコモンモードフィルタ部を有するコモンモードチョークコイルでは、ディファレンシャルモード透過特性（Ｓｄｄ２１）において反共振が発生し、差動信号の透過性が阻害される虞があることを発見した。これは、互いに共振周波数の異なる２つのコモンモードフィルタ部を有するコモンモードチョークコイルに限られる話ではなく、コモンモードフィルタ部を複数有し、上記複数のコモンモードフィルタ部に、他のコモンモードフィルタ部とは異なる共振周波数を有するものが存在する場合にも発生する虞がある。
【０００６】
本発明は上記問題点を解決するためになされたものであって、その目的は、コモンモードフィルタ部を複数備え、上記複数のコモンモードフィルタ部に、他のコモンモードフィルタ部とは異なる共振周波数を有するものが存在するコモンモードチョークコイルにおいて、差動信号の透過性に与える影響を低減することにある。
【課題を解決するための手段】
【０００７】
本開示の一態様であるコモンモードチョークコイルは、１次コイルと２次コイルとが積層方向に配列されることで構成されたコモンモードフィルタ部を複数有し、前記複数のコモンモードフィルタ部には、他のコモンモードフィルタ部とは異なる共振周波数を有するもの、及び、前記１次コイルと前記２次コイルとの線路長が異なるものが存在する。
【０００８】
この構成によれば、Ｓｄｄ２１における反共振による信号減衰量を低減することができる。
上記コモンモードチョークコイルにおいて、前記複数のコモンモードフィルタ部には、互いに共振周波数が異なる第１フィルタ部と第２フィルタ部とが存在し、前記第１フィルタ部と前記第２フィルタ部との間では、前記１次コイル同士、前記２次コイル同士が直列に接続され、前記第２フィルタ部では、それぞれスパイラル状に巻回された複数のコイル導体が前記積層方向に沿って配列され、前記１次コイルを構成する前記複数のコイル導体の内の１つである基準１次コイル導体と、前記２次コイルを構成する前記複数のコイル導体の内の１つである基準２次コイル導体とが前記積層方向に隣接するとともに巻回方向が互いに逆となっており、前記第１フィルタ部の前記１次コイルと前記２次コイルとの内、前記基準１次コイル導体、前記基準２次コイル導体からの線路長をそれぞれ基準として、より遠い位置にある方を遠方側コイル、より近い位置にある方を近方側コイルとした場合に、前記遠方側コイルの線路長が、前記近方側コイルの線路長よりも長いことが好ましい。なお、本願においてスパイラル状とは、平面状に巻回された螺旋のことを意味する。
【０００９】
この構成によれば、Ｓｄｄ２１における反共振による信号減衰量をより低減することができる。
上記コモンモードチョークコイルにおいて、前記複数のコモンモードフィルタ部には、互いに共振周波数が異なる第１フィルタ部と第２フィルタ部とが存在し、前記第１フィルタ部と前記第２フィルタ部との間では、前記１次コイル同士、前記２次コイル同士が直列に接続され、前記第２フィルタ部では、それぞれスパイラル状に巻回された第１層コイル導体、第２層コイル導体、第３層コイル導体、第４層コイル導体がこの順に前記積層方向に沿って配列され、前記第１フィルタ部の前記１次コイル又は前記２次コイルの一方から続いて前記第４層コイル導体、前記第２層コイル導体の順に直列に接続されるとともに、前記第１フィルタ部の前記１次コイル又は前記２次コイルの他方から続いて前記第３層コイル導体、前記第１層コイル導体の順に直列に接続されており、前記第１フィルタ部の前記１次コイルと前記２次コイルとの内、前記第４層コイル導体に続いて接続される方を遠方側コイル、前記第３層コイル導体に続いて接続される方を近方側コイルとした場合に、前記遠方側コイルの線路長が、前記近方側コイルの線路長よりも長いことが好ましい。
【００１０】
この構成によれば、Ｓｄｄ２１における反共振による信号減衰量をより低減することができる。
上記コモンモードチョークコイルにおいて、前記遠方側コイルの線路長をＬ１とし、前記近方側コイルの線路長をＬ２とした場合に、Ｌ２＜Ｌ１≦１．５×Ｌ２の範囲であることが好ましい。
【００１１】
この構成によれば、Ｓｄｄ２１における反共振による信号減衰量をより低減することができる。
上記コモンモードチョークコイルにおいて、前記遠方側コイルでは、巻回中心側で線路長の長さが調整されることが好ましい。
【００１２】
この構成によれば、近方側コイルよりも線路長を長くする際に遠方側コイルの外形の大きさを変更する必要がないため、コモンモードチョークコイルの大型化を抑えることができる。
【００１３】
上記コモンモードチョークコイルにおいて、前記遠方側コイルの内径が、前記近方側コイルの内径よりも小さいことが好ましい。
この構成によれば、近方側コイルよりも線路長を長くする際に遠方側コイルの外形の大きさを変更する必要がないため、コモンモードチョークコイルの大型化を抑えることができる。
【００１４】
上記コモンモードチョークコイルにおいて、前記第１フィルタ部の前記１次コイル、前記２次コイルの線路長は、それぞれ前記第２フィルタ部の前記１次コイル、前記２次コイルの線路長より短いことが好ましい。
【００１５】
この構成によれば、第２フィルタ部よりもスペースに余裕のある第１フィルタ部において遠方側コイルの線路長を長くするため、コモンモードチョークコイルの大型化を抑えることができる。
【００１６】
上記コモンモードチョークコイルにおいて、前記第１フィルタ部の共振周波数は、前記第２フィルタ部の共振周波数よりも高いことが好ましい。
この構成によれば、第２フィルタ部よりもスペースに余裕のある第１フィルタ部において遠方側コイルの線路長を長くするため、コモンモードチョークコイルの大型化を抑えることができる。
【００１７】
上記コモンモードチョークコイルにおいて、前記第２フィルタ部では、前記１次コイルと前記２次コイルとの内、前記近方側コイルと直列に接続される方の線路長が、前記遠方側コイルと直列に接続される方の線路長よりも長いことが好ましい。
【００１８】
この構成によれば、第１フィルタ部で発生する１次コイルと２次コイルとの線路長の差異を第２フィルタ部で低減することができる。
上記コモンモードチョークコイルにおいて、前記第１フィルタ部及び前記第２フィルタ部の前記１次コイルの合計線路長は、前記第１フィルタ部及び前記第２フィルタ部の前記２次コイルの合計線路長と実質的に等しいことが好ましい。
【００１９】
この構成によれば、第１フィルタ部で発生する１次コイルと２次コイルとの線路長の差異を第２フィルタ部で相殺することができる。
上記コモンモードチョークコイルにおいて、前記複数のコモンモードフィルタ部では、前記１次コイル同士が直列に接続され、前記２次コイル同士が直列に接続されていることが好ましい。
【００２０】
この構成によれば、各コモンモードフィルタ部に対する入出力端子をまとめることができ、接続が容易になる。
上記コモンモードチョークコイルにおいて、前記複数のコモンモードフィルタ部は、前記積層方向に直交する方向に配列されていることが好ましい。
【００２１】
この構成によれば、コモンモードフィルタ部同士の磁気結合を低減することができ、コモンモードチョークコイルの特性への悪影響を抑制することができる。
上記コモンモードチョークコイルにおいて、複数の絶縁層が積層された素体をさらに備え、前記複数のコモンモードフィルタ部の前記１次コイル及び前記２次コイルのそれぞれは、前記絶縁層上において巻回されたコイル導体を含むことが好ましい。
【００２２】
この構成によれば、各コモンモードフィルタ部を１つの素体に内蔵することができ、コモンモードチョークコイルの取扱が容易になる。
上記コモンモードチョークコイルにおいて、前記素体に形成された第１外部電極、第２外部電極、第３外部電極及び第４外部電極をさらに備え、前記第１外部電極と前記第２外部電極とは、前記複数のコモンモードフィルタ部の前記１次コイルを直列に介して電気的に接続され、前記第３外部電極と前記第４外部電極とは、前記複数のコモンモードフィルタ部の前記２次コイルを直列に介して電気的に接続されていることが好ましい。
【００２３】
この構成によれば、各コモンモードフィルタ部への入出力を第１外部電極、第２外部電極、第３外部電極及び第４外部電極にまとめることができ、接続が容易になる。
【発明の効果】
【００２４】
本発明のコモンモードチョークコイルによれば、Ｓｄｄ２１における反共振による信号減衰量を低減することができ、差動信号の透過性に与える影響を低減できる。
【図面の簡単な説明】
【００２５】
【図１】実施形態のコモンモードチョークコイルの斜視図。
【図２】実施形態のコモンモードチョークコイルのコイル導体を示す透視斜視図。
【図３】実施形態のコモンモードチョークコイルの上面図。
【図４】実施形態のコモンモードチョークコイルの断面図。
【図５】実施形態のコモンモードチョークコイルの回路図。
【図６】実施形態のコモンモードチョークコイルのコモンモード減衰特性を示す特性図。
【図７】コモンモードチョークコイルのディファレンシャルモード透過特性を示す特性図。
【図８】線路長の長さの違いによる減衰量の変化を示す図。
【図９】変形例におけるコモンモードチョークコイルの断面図。
【図１０】変形例におけるコモンモードチョークコイルの断面図。
【図１１】変形例におけるコモンモードチョークコイルの断面図。
【発明を実施するための形態】
【００２６】
以下、一実施形態について添付図面を参照して説明する。なお、添付図面は、理解を容易にするために構成要素を拡大して示している場合がある。また、構成要素の寸法比率は、実際のものと、または別の図面中のものと異なる場合がある。
【００２７】
図１は実施形態のコモンモードチョークコイル１０の外観を示す斜視図である。図２は、コモンモードチョークコイル１０の第１フィルタ部２０及び第２フィルタ部３０を含む内部構成を示す透視斜視図である。図３は、第１フィルタ部２０及び第２フィルタ部３０が有するコイル導体を示す上面図である。図４は、図３の４−４線における断面図である。図５は、第１フィルタ部２０及び第２フィルタ部３０の電気的接続関係を示す回路図である。
【００２８】
図１及び図２に示すコモンモードチョークコイル１０は、素体１４と、第１フィルタ部２０と、第２フィルタ部３０と、第１〜第４外部電極５１〜５４とを有し、例えば略直方体形状をなすように構成される。本実施形態のコモンモードチョークコイル１０は、後述する複数のコイル導体を積層して、１次コイルと２次コイルとが積層方向に配列されることで構成されるコモンモードフィルタ部を２つ（第１フィルタ部２０、第２フィルタ部３０）を有する電子部品である。コモンモードチョークコイル１０では、互いに共振周波数の異なる第１フィルタ部２０，第２フィルタ部３０が、１次コイルと２次コイルの積層方向に直交する方向に配列された構造となっている。以下の説明では、各フィルタ部におけるコイル導体の積層方向（１次コイル、２次コイルの積層方向）を高さ方向Ｔｄとし、高さ方向Ｔｄに直交するフィルタ部２０，３０の配列方向を長さ方向Ｌｄとし、高さ方向Ｔｄ並びに長さ方向Ｌｄと直交する方向を幅方向Ｗｄとして説明する。また、コモンモードチョークコイル１０を回路基板等に実装する際の実装面側を底面側とし、底面と逆側を天面側として説明する。また、本実施形態のコモンモードチョークコイル１０の底面並びに天面は高さ方向Ｔｄに面する構成となっている。
【００２９】
図１及び図２に示すように、素体１４は、例えば複数の絶縁層１１〜１３が高さ方向Ｔｄに積層されて構成される。絶縁層１１、１３は、例えばフェライト基板や金属磁性粉含有樹脂などの磁性体で構成され、絶縁層１２は、例えば樹脂やガラスなどの非磁性体で構成される。そして、絶縁層１１及び絶縁層１３に挟まれた絶縁層１２は、複数の絶縁層が積層された構成を有し、前記第１フィルタ部２０、第２フィルタ部３０が内蔵され、第１〜第４外部電極５１〜５４が形成されている。
【００３０】
図２〜図５に示すように、第１フィルタ部２０は、高さ方向Ｔｄに沿って配列された第１層コイル導体２１と、第２層コイル導体２２と、第３層コイル導体２３と、第４層コイル導体２４とを有する。第１〜第４層コイル導体２１〜２４は、底面側から天面側に向かって第１層コイル導体２１、第２層コイル導体２２、第３層コイル導体２３、第４層コイル導体２４の順で積層されている。第１〜第４層コイル導体２１〜２４は、それぞれ例えば絶縁層１２の各絶縁層上においてスパイラル状に巻回されたＣｕやＡｇなどの金属の配線パターンで構成される。第１〜第４層コイル導体２１〜２４は、その周囲が絶縁層によって覆われている。
【００３１】
第１層コイル導体２１の内周端は、絶縁層１２の一部の絶縁層を高さ方向Ｔｄに貫通する第１ビア電極２５を介して第３層コイル導体２３の内周端と接続される。第２層コイル導体２２の内周端は、絶縁層１２の一部の絶縁層を高さ方向Ｔｄに貫通する第２ビア電極２６を介して第４層コイル導体２４の内周端と接続される。このように、第１フィルタ部２０では、第１層コイル導体２１、第１ビア電極２５及び第３層コイル導体２３を含む１次コイルと、第２層コイル導体２２、第２ビア電極２６及び第４層コイル導体２４を含む２次コイルが構成されている。また、第１フィルタ部２０では、１次コイルと２次コイルとが積層方向に配列されることにより、動作時に１次コイルと２次コイルとが磁気結合する。
【００３２】
図３に示すように、高さ方向Ｔｄの一方、例えば天面側から見て第１層コイル導体２１と第２層コイル導体２２とは、同方向、例えば外周端から内周端に向かって時計回りにスパイラル状をなすように形成されている。また、例えば天面側から見て第３層コイル導体２３と第４層コイル導体２４とは、同方向、例えば外周端から内周端に向かって反時計回りにスパイラル状をなすように形成されている。すなわち、第２層コイル導体２２と、第３層コイル導体２３とは、高さ方向Ｔｄに隣接するとともに巻回方向が互いに逆となっている。
【００３３】
これにより、第１フィルタ部２０において、第１層コイル導体２１及び第２層コイル導体２２の外周端に差動信号が入力されると、１次コイル及び２次コイルによって発生する磁束が互いに逆向きとなって打ち消し合う。したがって、第１フィルタ部２０全体としては差動信号に対してインダクタンスを発生せず、差動信号はその波形を維持したまま第３層コイル導体２３及び第４層コイル導体２４の外周端から出力される。
【００３４】
一方で、第１フィルタ部２０において、第１層コイル導体２１及び第２層コイル導体２２の外周端にコモンモードノイズが入力されると、１次コイル及び２次コイルによって発生する磁束が互いに同方向となって強め合う。したがって、第１フィルタ部２０全体としてはコモンモードノイズに対して大きなインダクタンスを発生し、第３層コイル導体２３及び第４層コイル導体２４の外周端から出力されるコモンモードノイズは減衰する。このように、第１フィルタ部２０は、積層方向に配列された１次コイルと２次コイルとが磁気結合することで構成されるコモンモードフィルタ部となっている。
【００３５】
図２〜図５に示すように、第２フィルタ部３０は、第１フィルタ部２０と同様に、高さ方向Ｔｄに沿って配列された第１層コイル導体３１と、第２層コイル導体３２と、第３層コイル導体３３と、第４層コイル導体３４とを有する。第１〜第４層コイル導体３１〜３４は、底面側から天面側に向かって第１層コイル導体３１、第２層コイル導体３２、第３層コイル導体３３、第４層コイル導体２４の順で積層されている。第１〜第４層コイル導体３１〜３４は、それぞれ例えば絶縁層１２の各絶縁層上においてスパイラル状に巻回されたＣｕやＡｇなどの金属の配線パターンで構成される。第１〜第４層コイル導体３１〜３４は、その周囲が絶縁層によって覆われている。
【００３６】
第２フィルタ部３０の第１層コイル導体３１は、例えば第１フィルタ部２０の第１層コイル導体２１と同一層、すなわち高さ方向Ｔｄにおいて略一致するように配置される。また、第２フィルタ部３０の第２層コイル導体３２は、例えば第１フィルタ部２０の第２層コイル導体２２と同一層、すなわち高さ方向Ｔｄにおいて略一致するように配置される。第２フィルタ部３０の第３層コイル導体３３は、例えば第１フィルタ部２０の第３層コイル導体２３と同一層、すなわち高さ方向Ｔｄにおいて略一致するように配置される。また、第２フィルタ部３０の第４層コイル導体３４は、例えば第１フィルタ部２０の第４層コイル導体２４と同一層、すなわち高さ方向Ｔｄにおいて略一致するように配置される。
【００３７】
第１層コイル導体３１の内周端は、絶縁層１２の一部の絶縁層を高さ方向Ｔｄに貫通する第１ビア電極３５を介して第３層コイル導体３３の内周端と接続される。第２層コイル導体３２の内周端は、絶縁層１２の一部の絶縁層を高さ方向Ｔｄに貫通する第２ビア電極３６を介して第４層コイル導体３４の内周端と接続される。このように、第２フィルタ部３０では、第１層コイル導体３１、第１ビア電極３５及び第３層コイル導体３３を含む１次コイルと、第２層コイル導体３２、第２ビア電極３６及び第４層コイル導体３４を含む２次コイルが構成されている。また、第２フィルタ部３０では、１次コイルと２次コイルとが積層方向に配列されることにより、動作時に１次コイルと２次コイルとが磁気結合する。
【００３８】
図３に示すように、高さ方向Ｔｄの一方、例えば天面側から見て第１層コイル導体３１と第２層コイル導体３２とは、同方向、例えば外周端から内周端に向かって時計回りにスパイラル状をなすように形成されている。また、例えば天面側から見て第３層コイル導体３３と第４層コイル導体３４とは、同方向、例えば外周端から内周端に向かって反時計回りにスパイラル状をなすように形成されている。すなわち、第２層コイル導体３２と、第３層コイル導体３３とは、高さ方向Ｔｄに隣接するとともに巻回方向が互いに逆となっている。
【００３９】
これにより、第２フィルタ部３０において、第１層コイル導体３１及び第２層コイル導体３２の外周端に差動信号が入力されると、１次コイル及び２次コイルによって発生する磁束が互いに逆向きとなって打ち消し合う。したがって、第２フィルタ部３０全体としては差動信号に対してインダクタンスを発生せず、差動信号はその波形を維持したまま第３層コイル導体３３及び第４層コイル導体３４の外周端から出力される。
【００４０】
一方で、第１フィルタ部２０において、第１層コイル導体３１及び第２層コイル導体３２の外周端にコモンモードノイズが入力されると、１次コイル及び２次コイルによって発生する磁束が互いに同方向となって強め合う。したがって、第２フィルタ部３０全体としてはコモンモードノイズに対して大きなインダクタンスを発生し、第３層コイル導体３３及び第４層コイル導体３４の外周端から出力されるコモンモードノイズは減衰する。このように、第２フィルタ部３０は、積層方向に配列された１次コイルと２次コイルとが磁気結合することで構成されるコモンモードフィルタ部となっている。
【００４１】
図２及び図５に示すように、第１フィルタ部２０と第２フィルタ部３０とは、２つの中間ビア電極４１，４２を介して接続されている。詳しくは、第１フィルタ部２０の第２層コイル導体２２と第２フィルタ部３０の第４層コイル導体３４とが中間ビア電極４１を介して接続される。そして、第１フィルタ部２０の第１層コイル導体２１と第２フィルタ部３０の第３層コイル導体３３とが中間ビア電極４２を介して接続される。これにより、第１フィルタ部２０と第２フィルタ部３０との間では、１次コイル同士は直列に接続され、２次コイル同士は直列に接続されている。
【００４２】
図２及び図５に示すように、第１フィルタ部２０の第４層コイル導体２４は、第１外部電極５１と接続される。第２フィルタ部３０の第２層コイル導体３２は、第２外部電極５２と接続される。つまり、本実施形態では、第１外部電極５１、第１フィルタ部２０の第４層コイル導体２４、第２ビア電極２６、第１フィルタ部２０の第２層コイル導体２２、中間ビア電極４１、第２フィルタ部３０の第４層コイル導体３４、第２ビア電極３６、第２フィルタ部３０の第２層コイル導体３２、第２外部電極５２の順に直列接続される。すなわち、第１外部電極５１と第２外部電極５２とは、第１フィルタ部２０の１次コイル及び第２フィルタ部３０の１次コイルを直列に介して電気的に接続されている。
【００４３】
また、第１フィルタ部２０の第３層コイル導体２３は、第３外部電極５３と接続される。第２フィルタ部３０の第１層コイル導体３１は、第４外部電極５４と接続される。つまり、本実施形態では、第３外部電極５３、第１フィルタ部２０の第３層コイル導体２３、第１ビア電極２５、第１フィルタ部２０の第１層コイル導体２１、中間ビア電極４２、第２フィルタ部３０の第３層コイル導体３３、第１ビア電極３５、第２フィルタ部３０の第１層コイル導体３１、第４外部電極５４の順に直列接続される。すなわち、第３外部電極５３と第４外部電極５４とは、第１フィルタ部２０の２次コイル及び第２フィルタ部３０の２次コイルを直列に介して電気的に接続されている。
【００４４】
図１及び図２に示すように第１〜第４外部電極５１〜５４は、コモンモードチョークコイル１０の絶縁層１２の４隅に設定されて外部に露出するように構成される。また、外部電極５１〜５４は、高さ方向Ｔｄの底面側においてそれぞれに対応する底面電極５５と電気的に接続される。底面電極５５は、高さ方向Ｔｄにおいて底面側に露出するように構成される。これにより、回路基板等に実装する際に底面電極５５を利用して回路基板上の回路パターン等との電気的接続が可能となっている。
【００４５】
本実施形態では、例えば各フィルタ部２０，３０のコイル導体２１〜２４，３１〜３４の巻き数を各フィルタ部２０，３０間において異なるように構成することで、各フィルタ部２０，３０における１次コイル同士、２次コイル同士のインダクタンスをそれぞれ異なる値としている。その結果、第１フィルタ部２０における共振周波数ｆ１と第２フィルタ部３０における共振周波数ｆ２とが異なるように設定される。つまり、コモンモードチョークコイル１０には、互いに異なる共振周波数ｆ１，ｆ２を有する第１フィルタ部２０と第２フィルタ部３０とが存在する。より具体的には、第１フィルタ部２０の各層コイル導体２１〜２４は、第２フィルタ部３０の各層コイル導体３１〜３４よりも巻回数が少ない構成となっている。これに伴い、第１フィルタ部２０の１次コイル、２次コイルのインダクタンス値がそれぞれ、第２フィルタ部３０の１次コイル、２次コイルのインダクタンス値よりも低い。そのため、図６に示すように第１フィルタ部２０における共振周波数ｆ１が第２フィルタ部３０における共振周波数ｆ２よりも高くなっている。
【００４６】
なお、本実施形態のコモンモードチョークコイル１０は、各フィルタ部２０，３０の各コイル導体２１〜２４，３１〜３４が同一層において配列、すなわち高さ方向Ｔｄに直交する方向に配列されることにより、電流印加の際に第１フィルタ部２０の周りに発生する磁束と第２フィルタ部３０の周りに発生する磁束とが重なりにくくなっている。これにより、第１フィルタ部２０と第２フィルタ部３０との磁気結合を低減することができ、コモンモードチョークコイル１０の特性への悪影響を抑制することができる。
【００４７】
ここで、一般的にコモンモードチョークコイルでは、コモンモードフィルタ部を構成する１次コイルと２次コイルとでは線路長が等しく設定される。つまり、本例のように他のコモンモードフィルタ部と異なる共振周波数を有するものが存在する複数のコモンモードフィルタ部を設ける場合には、各コモンモードフィルタ部それぞれにおける１次コイルと２次コイルの線路長は等しくされることが通常である。しかし、本願発明者は、実際にこのような構成のコモンモードチョークコイルを作成したところ、図７において１点鎖線で示すように、Ｓｄｄ２１において急峻な減衰（波形の落ち込み部分）、すなわち反共振が発生することを発見した。
【００４８】
また、本願発明者は、通常の設計思想とは異なり、コモンモードフィルタ部において、あえて１次コイルと２次コイルの線路長が異なるものが存在するようにすると、上記反共振の発生が抑制されることも発見した。例えば、本例のコモンモードチョークコイル１０では、第１フィルタ部２０の２次コイルの線路長が１次コイルの線路長よりも長く、このとき図７において実線で示すように、Ｓｄｄ２１における反共振が抑制されることを発見した。特に、コモンモードチョークコイル１０では、２次コイル側の第４層コイル導体２４の線路長を、１次コイル側の第１層コイル導体２１、第３層コイル導体２３、２次コイル側の第２層コイル導体２２の線路長よりも長くしている。その結果、コモンモードチョークコイル１０は、第１フィルタ部２０において、２次コイルの線路長（第４層コイル導体２４と第２層コイル導体２２との合計線路長）が１次コイルの線路長（第１層コイル導体２１と第３層コイル導体２３との合計線路長）よりも長い構成となっている。換言すると、第１フィルタ部２０の１次コイルと２次コイルとの内、第２フィルタ部３０内で高さ方向Ｔｄに隣接するとともに巻回方向が互いに逆となる１次コイル側の第３層コイル導体３３（基準１次コイル導体）及び２次コイル側の第２層コイル導体３２（基準２次コイル導体）からの線路長をそれぞれ基準として、より遠い位置にある２次コイル（第２層コイル導体２２及び第４層コイル導体２４）を遠方側コイル、より近い位置にある１次コイル（第１層コイル導体２１及び第３層コイル導体２３）を近方側とした場合に、遠方側コイルの線路長が、近方側コイルの線路長よりも長い。このような構成とすることで、Ｓｄｄ２１における反共振の発生をより抑制することができることが分かった。
【００４９】
なお、第１フィルタ部２０の１次コイルと２次コイルとの内、上記巻回方向が互いに逆となる第２層コイル導体３２及び第３層コイル導体３３のいずれかに続いて接続される方（１次コイル）を近方側コイル、第２層コイル導体３２及び第３層コイル導体３３のいずれにも続いて接続されない方、すなわち第２層コイル導体３２及び第３層コイル導体３３ではないコイル導体（第１層コイル導体３１又は第４層コイル導体３４）に続いて接続される方（２次コイル）を遠方側コイルとすることもできる。
【００５０】
また、第１フィルタ部２０において、遠方側コイルの線路長をＬ１とし、近方側コイルの線路長をＬ２とした場合に、Ｌ２＜Ｌ１≦１．５＊Ｌ２の範囲に設定されることが好ましい。図８は、上記Ｌ１に対するＬ２の割合（％）と反共振による減衰量との関係を示す図である。図８に示すように、Ｌ１とＬ２を上記範囲に設定することで、Ｌ１＝Ｌ２とした場合と比較してＳｄｄ２１における反共振による減衰量をより抑制することができる。具体的には、減衰量を±３ｄＢ以内とすることができる。
【００５１】
また、図４に示すように、第１フィルタ部２０の遠方側コイルでは、第４層コイル導体２４の巻回中心側で他のコイル導体２１〜２３よりも長くなるように線路長の長さが調整されることが好ましい。すなわち、遠方側コイルの内径（第４層コイル導体２４の内径）が、近方側コイルの内径（第１層コイル導体２１及び第３層コイル導体２３の内径）よりも小さいことが好ましい。これにより、第１〜第４層コイル導体２１〜２４の外形形状を略等しくすることができる。すなわち、第１フィルタ部２０において、遠方側コイルの線路長を近方側コイルの線路長より長くする際に、遠方側コイルの内径側で線路長を確保することにより、遠方側コイルの外形の大きさを変更する必要がないため、コモンモードチョークコイル１０の大型化を抑えることができる。
【００５２】
また、本例の各フィルタ部２０，３０は、前述したように巻回数が異なるが、１次コイルと２次コイルとの線路長が異なる第１フィルタ部２０の１次コイル、２次コイルの線路長は、第２フィルタ部３０の１次コイル、２次コイルの線路長よりも短いことが好ましい。換言すると、１次コイルと２次コイルとの線路長が異なる第１フィルタ部２０の共振周波数が、第２フィルタ部３０の共振周波数よりも高いことが好ましい。共振周波数が高い、すなわち巻回数が少なく、１次コイル、２次コイルの線路長が短い第１フィルタ部２０は、共振周波数が低い、すなわち巻回数が多く、１次コイル、２次コイルの線路長が長い第２フィルタ部３０よりもコモンモードチョークコイル１０全体の外形に対して、スペースに余裕がある。このため、１次コイルと２次コイルとの線路長を異ならせる際に、第１フィルタ部２０において第４層コイル導体２４の線路長を他のコイル導体２１〜２３より長くしたとしても、コモンモードチョークコイル１０の幅方向Ｗｄや長さ方向Ｌｄ大型化の影響を少なくできる。
【００５３】
また、第２フィルタ部３０では、１次コイルと２次コイルとの内、近方側コイルと直列に接続される方（第２層コイル導体３２及び第４層コイル導体３４）の線路長が、遠方側コイルと直列に接続される方（第１層コイル導体３１及び第３層コイル導体３３）の線路長よりも長いことが好ましい。これにより、第１フィルタ部２０で発生する１次コイルと２次コイルとの線路長の差異を第２フィルタ部３０で低減することができる。
【００５４】
第１フィルタ部２０及び第２フィルタ部３０の１次コイルの合計線路長は、第１フィルタ部２０及び第２フィルタ部３０の２次コイルの合計線路長と実質的に等しいことが好ましい。これにより、第１フィルタ部２０で発生する１次コイルと２次コイルとの線路長の差異を第２フィルタ部３０で相殺することができる。
【００５５】
以上説明した本実施形態によれば、以下の作用効果を奏することができる。
（１）コモンモードチョークコイル１０の第１フィルタ部２０では、２次コイル側の第４層コイル導体２４の線路長を、１次コイル側の第１層コイル導体２１、第３層コイル導体２３、２次コイル側の第２層コイル導体２２の線路長よりも長くすることで２次コイルの線路長を１次コイルの線路長よりも長い構成とする。これにより、Ｓｄｄ２１における反共振による信号減衰量を低減することができる。
【００５６】
（２）第１フィルタ部２０の１次コイルと２次コイルとの内、積層方向に隣接するとともに巻回方向が互いに逆となる１次コイル側の第３層コイル導体３３（基準１次コイル導体）及び２次コイル側の第２層コイル導体３２（基準２次コイル導体）からの線路長をそれぞれ基準として、より遠い位置にある方を遠方側コイル、より近い位置にある方を近方側コイルとした場合に、前記遠方側コイルの線路長が、前記近方側コイルの線路長よりも長い。このような構成とすることでＳｄｄ２１における反共振による信号減衰量をより低減できる。なお、第２層コイル導体３２及び第３層コイル導体３３のいずれかに続いて接続される方（１次コイル）を近方側コイル、第２層コイル導体３２及び第３層コイル導体３３のいずれにも続いて接続されない方、すなわち第２層コイル導体３２及び第３層コイル導体３３ではないコイル導体（第１層コイル導体３１又は第４層コイル導体３４）に続いて接続される方（２次コイル）を遠方側コイルとすることもできる。
【００５７】
（３）第１フィルタ部２０において、遠方側コイルの線路長をＬ１とし、近方側コイルの線路長をＬ２とした場合に、Ｌ２＜Ｌ１≦１．５×Ｌ２の範囲とすることで、Ｌ１＝Ｌ２とした場合と比較してＳｄｄ２１における反共振による減衰量をより抑制することができる。具体的には、減衰量を±３ｄＢ以内とすることができる。
【００５８】
（４）第１フィルタ部２０において、遠方側コイルでは、第４層コイル導体２４の巻回中心側で他のコイル導体２１〜２３よりも長くなるように線路長の長さが調整される。すなわち、遠方側コイルの内径（第４層コイル導体２４の内径）が、近方側コイルの内径（第１層コイル導体２１及び第３層コイル導体２３の内径）よりも小さい。これにより、各コイル導体２１〜２４の外形の大きさを変更する必要がないため、コモンモードチョークコイル１０の大型化を抑えることができる。
【００５９】
（５）１次コイルと２次コイルとの線路長が異なる第１フィルタ部２０の１次コイル、２次コイルの線路長は、第２フィルタ部３０の１次コイル、２次コイルの線路長よりも短い。換言すると、１次コイルと２次コイルとの線路長が異なる第１フィルタ部２０の共振周波数が、第２フィルタ部３０の共振周波数よりも高い。ここで、共振周波数が高い、すなわち巻回数が少なく、１次コイル、２次コイルの線路長が短い第１フィルタ部２０は、共振周波数が低い、すなわち巻回数が多く、１次コイル、２次コイルの線路長が長い第２フィルタ部３０よりもコモンモードチョークコイル１０全体の外形に対して、スペースに余裕がある。１次コイルと２次コイルとの線路長を異ならせる際に、第１フィルタ部２０において第４層コイル導体２４の線路長を他のコイル導体２１〜２３より長くしたとしても、コモンモードチョークコイル１０の幅方向Ｗｄや長さ方向Ｌｄ大型化の影響を少なくできる。
【００６０】
（６）第２フィルタ部３０では、１次コイルと２次コイルとの内、近方側コイルと直列に接続される方の線路長が、遠方側コイルと直列に接続される方の線路長よりも長い。これにより、第１フィルタ部２０で発生する１次コイルと２次コイルとの線路長の差異を第２フィルタ部３０で低減することができる。
【００６１】
（７）第１フィルタ部２０及び第２フィルタ部３０の１次コイルの合計線路長は、第１フィルタ部２０及び第２フィルタ部３０の２次コイルの合計線路長と実質的に等しい。これにより、第１フィルタ部２０で発生する１次コイルと２次コイルとの線路長の差異を第２フィルタ部３０で相殺することができる。
【００６２】
（８）第１及び第２フィルタ部２０，３０では、１次コイル同士が直列に接続され、２次コイル同士が直列に接続されている。これにより、第１及び第２フィルタ部２０，３０に対する入出力端子をまとめることができ、接続が容易になる。
【００６３】
（９）第１及び第２フィルタ部２０，３０は、積層方向に直交する方向に配列されている。これにより、第１及び第２フィルタ部２０，３０同士の磁気結合を低減することができ、コモンモードチョークコイル１０の特性への悪影響を抑制することができる。
【００６４】
（１０）複数の絶縁層１１〜１３が積層された素体１４を備え、第１及び第２フィルタ部２０，３０の１次コイル及び２次コイルのそれぞれは、絶縁層１１〜１３上において巻回されたコイル導体２１〜２４，３１〜３４を含む。第１及び第２フィルタ部２０，３０を１つの素体１４に内蔵することができ、コモンモードチョークコイル１０の取扱が容易になる。
【００６５】
（１１）第１外部電極５１と第２外部電極５２とは、第１及び第２フィルタ部２０，３０の１次コイルを直列に介して電気的に接続され、第３外部電極５３と第４外部電極５４とは、第１及び第２フィルタ部２０，３０の２次コイルを直列に介して電気的に接続されている。このような構成とすることで、第１及び第２フィルタ部２０，３０への入出力を第１外部電極５１、第２外部電極５２、第３外部電極５３及び第４外部電極５４にまとめることができ、接続が容易になる。
【００６６】
（変形例）
なお、上記実施形態は、これを適宜変更した以下の態様にて実施することもできる。
・上記実施形態では、第１フィルタ部２０の第４層コイル導体２４の線路長を同フィルタ部２０内の他のコイル導体の線路長と比較して長い構成としたが、これに限らない。
【００６７】
図９は、変形例におけるコモンモードチョークコイルの断面図であって、図２の断面に相当する断面を示している。図９に示すように、この変形例においては、第１フィルタ部２０の第２層コイル導体２２は他のコイル導体２１，２３，２４と比較して巻回数が多い。このように、第２層コイル導体２２の線路長を同フィルタ部２０内の他のコイル導体の線路長と比較して長い構成としてもよい。また、第２層コイル導体２２の線路長と第４層コイル導体２４の線路長を同フィルタ部２０内の他のコイル導体の線路長と比較して長い構成としてもよい。すなわち、第１フィルタ部２０と第２フィルタ部３０との関係においては、第１フィルタ部２０の２次コイルの線路長が１次コイルの線路長より長ければ、いずれの場合であっても、上記実施形態と同様の効果を奏することができる。
【００６８】
・上記実施形態では、第１フィルタ部２０において１次コイルと２次コイルとの線路長が異なる構成としたが、例えば第２フィルタ部３０について１次コイルと２次コイルとの線路長が異なる構成であってもよい。この場合、第１フィルタ部２０内で高さ方向Ｔｄに隣接するとともに巻回方向が互いに逆となる１次コイル側の第３層コイル導体２３（基準１次コイル導体）及び２次コイル側の第２層コイル導体２２（基準２次コイル導体）からの線路長がそれぞれ基準となる。したがって、この場合、より遠い位置にある第２フィルタ部３０のコイル導体３１，３３の線路長が、線路長が近い位置にあるフィルタ部３０のコイル導体３２，３４の線路長よりも長い。以下にその一例を説明する。
【００６９】
図１０は、変形例におけるコモンモードチョークコイルの断面図であって、図２の断面に相当する断面を示している。図１０に示すように、第２フィルタ部３０の１次コイルを構成する第１層コイル導体３１の線路長を同フィルタ部３０内の他のコイル導体の線路長と比較して長い構成としてもよい。なお、第３層コイル導体３３の線路長を同フィルタ部３０内の他のコイル導体の線路長と比較して長い構成としてもよい。また、第１層コイル導体３１の線路長と第３層コイル導体３３の線路長を同フィルタ部３０内の他のコイル導体の線路長と比較して長い構成としてもよい。このような構成とすることで、第２フィルタ部３０の１次コイルの線路長が２次コイルの線路長より長くなる。以上のいずれの場合であっても、上記実施形態と同様の効果を奏することができる。この例が示すように、本願においてコンモードフィルタ部の第１、第２とは単なる区別の便宜上に過ぎないものであって、どちらが第１、第２であってもよい。
【００７０】
なお、実施形態の構成と図１０の変形例の構成とを組み合わせてもよい。図１１は、変形例におけるコモンモードチョークコイルの断面図であって、図２の断面に相当する断面を示している。図１１に示すように、第１フィルタ部２０の２次コイルを構成する第４層コイル導体２４の線路長を同フィルタ部２０内の他のコイル導体の線路長よりも長くし、第２フィルタ部３０の１次コイルを構成する第１層コイル導体３１の線路長を同フィルタ部３０内の他のコイル導体の線路長よりも長くする構成としてもよい。このような構成であっても上記実施形態と同様の効果を奏することができる。
【００７１】
・上記実施形態では、遠方側コイルの巻回中心側で線路長の長さが調整されたが、遠方側コイルの外径側で線路長の長さを調整してもよいし、線路長の長さは近方側コイルの一部のコイル導体（第１層コイル導体２１、第３層コイル導体２３など）の線路長を短くするなどによって調整してもよい。
【００７２】
・上記実施形態では、外部電極５１、第１フィルタ部２０の第４層コイル導体２４、第２ビア電極２６、第１フィルタ部２０の第２層コイル導体２２、中間ビア電極４１、第２フィルタ部３０の第４層コイル導体３４、第２ビア電極３６、第２フィルタ部３０の第２層コイル導体３２、外部電極５２の順で接続したが、接続形態はこれに限らない。同様に、外部電極５３、第１フィルタ部２０の第３層コイル導体２３、第１ビア電極２５、第１フィルタ部２０の第１層コイル導体２１、中間ビア電極４２、第２フィルタ部３０の第３層コイル導体３３、第１ビア電極３５、第２フィルタ部３０の第１層コイル導体３１、外部電極５４の順で接続したが、接続形態はこれに限らない。以下に、その一例を挙げる。
【００７３】
（例１）
例えば、外部電極５１、第１フィルタ部２０の第１層コイル導体２１、第２ビア電極２６、第１フィルタ部２０の第３層コイル導体２３、中間ビア電極４１、第２フィルタ部３０の第４層コイル導体３４、第２ビア電極３６、第２フィルタ部３０の第２層コイル導体３２、外部電極５２の順で接続する。そして、外部電極５３、第１フィルタ部２０の第２層コイル導体２２、第１ビア電極２５、第１フィルタ部２０の第４層コイル導体２４、中間ビア電極４２、第２フィルタ部３０の第３層コイル導体３３、第１ビア電極３５、第２フィルタ部３０の第１層コイル導体３１、外部電極５４の順で接続する。
【００７４】
（例２）
例えば、外部電極５１、第１フィルタ部２０の第２層コイル導体２２、第２ビア電極２６、第１フィルタ部２０の第４層コイル導体２４、中間ビア電極４１、第２フィルタ部３０の第４層コイル導体３４、第２ビア電極３６、第２フィルタ部３０の第２層コイル導体３２、外部電極５２の順で接続する。そして、外部電極５３、第１フィルタ部２０の第１層コイル導体２１、第１ビア電極２５、第１フィルタ部２０の第３層コイル導体２３、中間ビア電極４２、第２フィルタ部３０の第３層コイル導体３３、第１ビア電極３５、第２フィルタ部３０の第１層コイル導体３１、外部電極５４の順で接続する。
【００７５】
上記例１、例２はあくまで一部の接続形態に過ぎず、実施形態を含めてこれらの例のいずれかの第１フィルタ部２０の接続形態とその他の例の第２フィルタ部３０の接続形態とを組み合わせることも可能である。なお、第１フィルタ部２０及び第２フィルタ部３０では、１次コイル同士、２次コイル同士が直列に接続されるため、上記変形に応じて、１次コイルと２次コイルは適宜入れ替わる。また、このことが示すように、本願においてコイルの１次、２次とは単なる区別の便宜上に過ぎないものであって、どちらが１次、２次であってもよい。
【００７６】
・上記実施形態では、積層方向について、底面側から天面側に向かって第１層コイル導体、第２層コイル導体、第３層コイル導体、第４層コイル導体の順に積層される構成であったが、天面側から底面側に向かって第１層コイル導体、第２層コイル導体、第３層コイル導体、第４層コイル導体の順に積層される構成であってもよい。
【００７７】
・上記実施形態では、第１フィルタ部２０と第２フィルタ部３０において、１次コイルのコイル導体と２次コイルのコイル導体とが交互に積層された構成であったが、これに限られない。例えば、第２フィルタ部では、それぞれがスパイラル状に巻回された第１層コイル導体、第２層コイル導体、第３層コイル導体、第４層コイル導体がこの順に前記積層方向に沿って配列され、第１層コイル導体と第４層コイル導体とが直列に接続されて１次コイルを構成し、第２層コイル導体と第３層コイル導体とが直列に接続されて２次コイルを構成してもよい。なお、この場合も第１フィルタ部では、１次コイルと２次コイルの線路長が異なることが好ましい。具体的には、上記の場合の第２フィルタ部では、ビア電極の積層方向の線路長の違いに起因して、１次コイルの線路長が２次コイルの線路長よりも長くなっている。このとき、第１フィルタ部では、第２フィルタ部とは逆に２次コイルの線路長が１次コイルの線路長よりも長いことが好ましい。すなわち、この場合は、例えば、第１フィルタ部では、それぞれがスパイラル状に巻回された第１層コイル導体、第２層コイル導体、第３層コイル導体、第４層コイル導体がこの順に前記積層方向に沿って配列され、第１層コイル導体と第４層コイル導体とが直列に接続されて２次コイルを構成し、第２層コイル導体と第３層コイル導体とが直列に接続されて１次コイルを構成することが好ましい。この場合にＳｄｄ２１における反共振による信号減衰量を低減することが確認できている。
【００７８】
・上記実施形態では、第１フィルタ部２０と第２フィルタ部３０とを各コイル導体２１〜２４，３１〜３４の積層方向である高さ方向Ｔｄと直交する方向（長さＬｄ方向）に配列する構成としたが、高さ方向Ｔｄに第１フィルタ部と第２フィルタ部とを配列する構成を採用してもよい。この場合、各フィルタ部を上記実施形態と同様に４層構造とした場合、コイル導体が８つ積層された構造となる。
【００７９】
・上記実施形態では、各フィルタ部２０，３０の１次コイルと２次コイルをそれぞれ２つのコイル導体で構成したが、１次コイルと２次コイルをそれぞれ３つ以上のコイル導体で構成してもよい。
【００８０】
・上記実施形態では、外部電極５１〜５４並びに底面電極５５を露出する構成としたが、これに限らない。例えば、外部電極５１〜５４を露出させず、底面電極５５のみを露出させる構成を採用してもよい。
【００８１】
・上記実施形態では、外部電極５１〜５４並びに底面電極５５を別体で構成したが、これらを一体構成としてもよい。
・上記実施形態では、コモンモードフィルタ部は第１フィルタ部２０及び第２フィルタ部３０の２つであったが、３つ以上の複数のコモンモードフィルタ部を有するコモンモードチョークコイルであってもよい。この場合、複数のコモンモードフィルタ部には、他のコモンモードフィルタ部とは異なる共振周波数を有するものが少なくとも一つあればよく、当該コモンモードフィルタ部において、１次コイルと２次コイルとの線路長が異なっていてもよいし、他のコモンモードフィルタ部において、１次コイルと２次コイルとの線路長が異なっていてもよい。つまり、共振周波数が異なる組と、線路長が異なる組みが同じフィルタ部の組でも、異なるフィルタ部の組でよい。
【００８２】
・上記実施形態並びに上記各変形例は適宜組み合わせてもよい。
【符号の説明】
【００８３】
１０…コモンモードチョークコイル、１１〜１３…絶縁層、１４…素体、２０…第１フィルタ部（コモンモードフィルタ部）、２１…第１層コイル導体（コイル導体）、２２…第２層コイル導体（コイル導体）、２３…第３層コイル導体（コイル導体）、２４…第４層コイル導体（コイル導体）、３０…第２フィルタ部（コモンモードフィルタ部）、３１…第１層コイル導体（コイル導体）、３２…第２層コイル導体（コイル導体）、３３…第３層コイル導体（コイル導体）、３４…第４層コイル導体（コイル導体）、５１…第１外部電極、５２…第２外部電極、５３…第３外部電極、５４…第４外部電極、ｆ１，ｆ２…共振周波数、Ｌ１，Ｌ２…線路長。
【図１】
2020025046.tif 000003
【図２】
2020025046.tif 000004
【図３】
2020025046.tif 000005
【図４】
2020025046.tif 000006
【図５】
2020025046.tif 000007
【図６】
2020025046.tif 000008
【図７】
2020025046.tif 000009
【図８】
2020025046.tif 000010
【図９】
2020025046.tif 000011
【図１０】
2020025046.tif 000012
【図１１】
2020025046.tif 000013